【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
印刷条件に設定されている用紙情報が印刷装置にて印刷出力可能な用紙の一覧に含まれているか判別する判別手段と、
前記判別手段により印刷条件に設定されている用紙情報が印刷出力可能な用紙の一覧に含まれていないと判別された場合、該印刷条件に設定されている用紙外形を取得する取得手段と、
前記取得手段により取得した用紙外形に基づき印刷処理を行う印刷処理手段と、
を有することを特徴とする情報処理装置。
【請求項２】
前記判別手段により印刷条件に設定されている用紙情報が印刷出力可能な用紙の一覧に含まれていると判別された場合、該印刷条件にて設定されている用紙を最終的な設定とする設定手段を有し、
前記印刷処理手段は、前記設定手段により設定された用紙に基づき印刷処理を行うことを特徴とする請求項１に記載の情報処理装置。
【請求項３】
印刷条件に設定されている用紙情報の付属情報として用紙外形が含まれていないと判別された場合、予め定められた既定の用紙を設定する設定手段を有し、
前記印刷処理手段は、前記設定手段により設定された予め定められた既定の用紙に基づき印刷処理を行うことを特徴とする請求項１に記載の情報処理装置。
【請求項４】
前記印刷条件は、予め定義されたスキーマの形式に従って設定された印刷条件であることを特徴とする請求項１乃至３のいずれかに記載の情報処理装置。
【請求項５】
印刷条件に設定されている用紙情報が印刷装置にて印刷出力可能な用紙の一覧に含まれているか判別する判別ステップと、
前記判別ステップにより印刷条件に設定されている用紙情報が印刷出力可能な用紙の一覧に含まれていないと判別された場合、該印刷条件に設定されている用紙外形を取得する取得ステップと、
前記取得ステップにより取得した用紙外形に基づき印刷処理を行う印刷処理ステップと、を有することを特徴とする用紙設定方法。
【請求項６】
印刷条件に設定されている用紙情報が印刷装置にて印刷出力可能な用紙の一覧に含まれているか判別する判別ステップと、
前記判別ステップにより印刷条件に設定されている用紙情報が印刷出力可能な用紙の一覧に含まれていないと判別された場合、該印刷条件に設定されている用紙外形を取得する取得ステップと、
前記取得ステップにより取得した用紙外形に基づき印刷処理を行う印刷処理ステップとをコンピュータに実行させるためのプログラム。
【請求項７】
前記判別ステップにより印刷条件に設定されている用紙情報が印刷出力可能な用紙の一覧に含まれていると判別された場合、該印刷条件にて設定されている用紙を最終的な設定とする設定ステップを有し、
前記印刷処理ステップは、前記設定ステップにより設定された用紙に基づき印刷処理を行うことを特徴とする請求項６に記載のプログラム。
【請求項８】
印刷条件に設定されている用紙情報の付属情報として用紙外形が含まれていないと判別された場合、予め定められた既定の用紙を設定する設定ステップをコンピュータに実行させ、
前記印刷処理ステップは、前記設定ステップにより設定された予め定められた既定の用紙に基づき印刷処理を行うことを特徴とする請求項６に記載のプログラム。
【請求項９】
前記印刷条件は、予め定義されたスキーマの形式に従って設定された印刷条件であることを特徴とする請求項６乃至８のいずれかに記載のプログラム。
【請求項１０】
請求項６乃至９のいずれかに記載されたプログラムを記憶した記憶媒体。
【請求項１１】
用紙設定にて設定されている用紙情報が印刷装置にて印刷出力可能な用紙の一覧に含まれているか判別する判別手段と、
前記判別手段により用紙設定にて設定されている用紙情報が印刷出力可能な用紙の一覧に含まれていないと判別された場合、用紙設定にて設定されている用紙情報がオペレーティングシステムに登録されている用紙の一覧に含まれているか判別する判別手段と、
前記判別手段により用紙設定にて設定されている用紙情報がオペレーティングシステムに登録されている用紙の一覧に含まれていると判別された場合、オペレーティングシステムに登録されている用紙の一覧に含まれる用紙情報に対応する用紙外形を取得する取得手段と、
前記取得手段により取得した用紙外形に基づき印刷処理を行う印刷処理手段とを有することを特徴とする情報処理装置。
【請求項１２】
前記判別手段により用紙設定にて設定されている用紙情報が印刷出力可能な用紙の一覧に含まれていると判別された場合、用紙設定にて設定されている用紙を最終的な設定とする設定手段を有し、
前記印刷処理手段は、前記設定手段により設定された用紙に基づき印刷処理を行うことを特徴とする請求項１１記載の情報処理装置。
【請求項１３】
前記判別手段により用紙設定にて設定されている用紙情報がオペレーティングシステムに登録されている用紙の一覧に含まれていないと判別された場合、予め定められた既定の用紙を設定する設定手段を有し、
前記印刷処理手段は、前記設定手段により設定された予め定められた既定の用紙に基づき印刷処理を行うことを特徴とする請求項１１記載の情報処理装置。
【請求項１４】
用紙設定にて設定されている用紙情報が印刷装置にて印刷出力可能な用紙の一覧に含まれているか判別する判別ステップと、
前記判別ステップにより用紙設定にて設定されている用紙情報が印刷出力可能な用紙の一覧に含まれていないと判別された場合、用紙設定にて設定されている用紙情報がオペレーティングシステムに登録されている用紙の一覧に含まれているか判別する判別ステップと、
前記判別ステップにより用紙設定にて設定されている用紙情報がオペレーティングシステムに登録されている用紙の一覧に含まれていると判別された場合、オペレーティングシステムに登録されている用紙の一覧に含まれる用紙情報に対応する用紙外形を取得する取得ステップと、
前記取得ステップにより取得した用紙外形に基づき印刷処理を行う印刷処理ステップとを有することを特徴とする情報処理方法。
【請求項１５】
用紙設定にて設定されている用紙情報が印刷装置にて印刷出力可能な用紙の一覧に含まれているか判別する判別ステップと、
前記判別ステップにより用紙設定にて設定されている用紙情報が印刷出力可能な用紙の一覧に含まれていないと判別された場合、用紙設定にて設定されている用紙情報がオペレーティングシステムに登録されている用紙の一覧に含まれているか判別する判別ステップと、
前記判別ステップにより用紙設定にて設定されている用紙情報がオペレーティングシステムに登録されている用紙の一覧に含まれていると判別された場合、オペレーティングシステムに登録されている用紙の一覧に含まれる用紙情報に対応する用紙外形を取得する取得ステップと、
前記取得ステップにより取得した用紙外形に基づき印刷処理を行う印刷処理ステップとをコンピュータに実行させるためのプログラム。
【請求項１６】
前記判別ステップにより用紙設定にて設定されている用紙情報が印刷出力可能な用紙の一覧に含まれていると判別された場合、用紙設定にて設定されている用紙を最終的な設定とする設定ステップを有し、
前記印刷処理ステップは、前記設定ステップにより設定された用紙に基づき印刷処理を行うことを特徴とする請求項１５記載のプログラム。
【請求項１７】
前記判別ステップにより用紙設定にて設定されている用紙情報がオペレーティングシステムに登録されている用紙の一覧に含まれていないと判別された場合、予め定められた既定の用紙を設定する設定ステップを有し、
前記印刷処理ステップは、前記設定ステップにより設定された予め定められた既定の用紙に基づき印刷処理を行うことを特徴とする請求項１５記載のプログラム。